(57)【要約】【課題】本発明は、ブロックの積重ね壁を構築する際にセメントモルタルを用いることない乾式ブロック組積工法において、剛性が高く、耐震、耐風上の安全性の高いブロック組積工法を提供することを目的とする。                    【解決手段】本発明の鉄骨・鉄筋補強型乾式ブロック組積工法は、基礎部より垂直方向に鉄骨支柱を一定間隔の柱間をもって立設するとともに、該鉄骨支柱間に基礎部より垂直方向にネジ付き垂直補強筋を立設し、鉄骨支柱とネジ付き垂直補強筋との間及びネジ付き垂直補強筋間に組積られるブロックの一定段目ごとにネジ付き垂直補強筋を通して水平タイビーム筋を設置し、水平タイビーム筋をネジ付き垂直補強筋に設けた締め付け部材により下部方向に押し下げることにより組積られるブロックを圧着することを特徴としている。【選択図】    図１
2007107282.tif 000002
【特許請求の範囲】
【請求項１】
基礎部より垂直方向に鉄骨支柱を一定間隔の柱間をもって立設するとともに、該鉄骨支柱間に基礎部より垂直方向にネジ付き垂直補強筋を立設し、組積られるブロックの一定段目ごとにネジ付き垂直補強筋を通して水平タイビーム筋を設置し、水平タイビーム筋をネジ付き垂直補強筋に螺合する締め付け部材により下方に押し下げることにより、組積られるブロックを圧着するようにしたことを特徴とする鉄骨・鉄筋補強型乾式ブロック組積工法。
【請求項２】
水平タイビーム筋端部の係合部を鉄骨支柱の水平タイビーム筋取付孔の下部に設けられた楔に噛合させることにより固定するようにしたことを特徴とする請求項１記載の鉄骨・鉄筋補強型乾式ブロック組積工法。
【請求項３】
水平タイビーム筋の端部を鉄骨支柱に固着された水平タイビーム筋固定棒にターンバックルを介して取付けることにより固定するようにしたことを特徴とする請求項１記載の鉄骨・鉄筋補強型乾式ブロック組積工法。
【請求項４】
ネジ付き垂直補強筋の一部に一定間隔をもってナット挿入用の表面切欠部を設け、ネジ付き垂直補強筋に螺合させるナットには挿入用開口部を設けることを特徴とする請求項１記載の鉄骨・鉄筋補強型乾式ブロック組積工法。
【発明の詳細な説明】
【技術分野】
【０００１】
本発明は、ブロックの積重ね壁を構築するための組積工法に関し、施工の際にセメントモルタルを用いることなく、鉄骨及び鉄筋で補強するようにした乾式ブロック組積工法に関するものである。
【背景技術】
【０００２】
従来から、ブロックの積重ね壁を構築する際、セメントモルタルを用いることのない乾式のブロック組積工法として、特開昭６３−１２２８４８号公報に記載のものが知られている（以下、「従来工法１」という。）。この従来工法１は、プラスチック材質の内部に垂直に貫通した孔を設け、上面と底面が相互に嵌合する略凹凸組合せの溝を一方の面に略凹溝を他方の面に略凸溝を設け、両側面に係合棒を介して連接係合可能な略凹溝を設けたブロックと、基礎コンクリート上面とブロック下面との間に設けられる下板と、オールアンカーと、オールアンカーに係止可能な係止部と上端に止め部を有する立棒と、ブロック側面の凹溝に嵌挿してブロックを連接係合するプラスチック材質の係合棒と、ブロック上面に嵌合する天板とを、それぞれ用意し、基礎コンクリート上面の下板にブロックを適宜積み重ね、その後、ブロック相互の接面する各側面に設けた略凹溝に係合棒を挿入し、次に、立棒を最上段のブロックの貫通した孔から挿入し立棒の下端とオールアンカーとを係止し、立棒の上端を最上段のブロックにに固定し、最後に、天板を最上段のブロックに嵌合させるものである。
【０００３】
また、セメントモルタルを用いることのない乾式のブロック組積工法として、特開平２−４７４４２号公報に記載のものも知られている（以下、「従来工法２」という。）。この従来工法２は、表裏両面が方形をなした略直方体形のコンクリートブロックの上下面に相互に嵌合する凸面及び凹部を設け、上下両面を貫通して下端部が拡大開口したボルト挿通孔を設け、このブロックを上下間において凸部と凹部を嵌合し、ボルト挿通孔を連通して積重ね、先端に雄ネジ部、後端に雌ネジ孔が開口した膨大部があり、ブロックの長さより僅かに長い長ボルトを上段ブロックのボルト挿通孔に差込み、先端の雄ネジ部を下段ブロックのボルト挿通孔に差込んだ長ボルト後端膨大部の雌ネジ孔に、上段ブロックのボルト挿通孔下端の拡大開口部内において螺合連結し、長ボルト後端の膨大部をブロック上面のボルト挿通孔開口縁部に圧接し下段ブロック上に上段ブロックを締付け固定するものである。
【特許文献１】特開昭６３−１２２８４８号公報
【特許文献２】特開平２−４７４４２号公報
【発明の開示】
【発明が解決しようとする課題】
【０００４】
上記した従来工法１においては、ブロックを基礎に固定する役割は最上段のブロックの貫通した孔から挿入しオールアンカーと係止する立棒上端のナット部材の締め付け力のみによるもであるため、壁全体に厚み方向（内外方向）の荷重が作用した場合、立棒の伸びにより壁が内側あるいは外側に傾ことを抑えることができないという問題を有していた。
また、従来工法２においても、ブロック１段分の長さを有する長ボルトの螺合連結により上段ブロック及び下段ブロックを締付け固定するのみであるため、長ボルト及びブロックの両方あるいは片方に寸法誤差があったりすると締付けることができないばかりか、壁の厚み方向（内外方向）の荷重に対向する力が弱く、また、基礎部分との固定については何ら開示されていないため、壁全体に厚み方向（内外方向）の荷重が作用した場合、壁全体の傾きを抑えることができないという問題を有していた。
【０００５】
本発明は、ブロックの積重ね壁を構築する際にセメントモルタルを用いることない乾式ブロック組積工法において、剛性が高く、耐震、耐風上の安全性の高いブロック組積工法を提供することを目的とする。
【課題を解決するための手段】
【０００６】
上記目的を達成するため本発明の鉄骨・鉄筋補強型乾式ブロック組積工法は、基礎部より垂直方向に鉄骨支柱を一定間隔の柱間をもって立設するとともに、該鉄骨支柱間に基礎部より垂直方向にネジ付き垂直補強筋を立設し、組積られるブロックの一定段目ごとにネジ付き垂直補強筋を通して水平タイビーム筋を設置し、水平タイビーム筋をネジ付き垂直補強筋に螺合する締め付け部材により下方に押し下げることにより、組積られるブロックを圧着するようにしたことを特徴としている。
また、本発明の鉄骨・鉄筋補強型乾式ブロック組積工法は、水平タイビーム筋端部の係合部を鉄骨支柱の水平タイビーム筋取付孔の下部に設けられた楔に噛合させることにより固定するようにしたことを特徴としている。
また、本発明の鉄骨・鉄筋補強型乾式ブロック組積工法は、水平タイビーム筋の端部を鉄骨支柱に固着された水平タイビーム筋固定棒にターンバックルを介して取付けることにより固定するようにしたことを特徴としている。
また、本発明の鉄骨・鉄筋補強型乾式ブロック組積工法は、ネジ付き垂直補強筋の一部に一定間隔をもってナット挿入用の表面切欠部を設け、ネジ付き垂直補強筋に螺合させるナットには挿入用開口部を設けることを特徴としている。
【発明の効果】
【０００７】
本発明は、以下のような優れた効果を奏する。
（１）セメントモルタルを用いることのない乾式のブロック組積工法であるため、セメントなどの接着材の固定時間を必要とせず、工期を大幅に短縮できる。
（２）鉄骨支柱、ネジ付き垂直補強筋及び水平タイビーム筋を用いるため、剛性が高く、耐震、耐風上の安定性が増大する。また、ネジ付き垂直補強筋及び水平タイビーム筋の使用により、組積時にブロックのズレを防止して壁面の安定性を確保できる。
（３）水平タイビーム筋を組積けられるブロックの一定段目ごとに設けてネジ付き垂直補強筋の締め付け部材によりブロックを締め付けることにより、ブロック組積けを下部段から順次緊密に行うことができ、基礎と一体となったブロック壁を構築することができる。
（４）鉄骨支柱、ネジ付き垂直補強筋及び水平タイビーム筋がブロック組積けのガイド役を果たすので、高度な技術を必要とすることなく組積工事を施工できる。
（５）乾式工法であるため、工事現場を清潔に保つことができる。
【発明を実施するための最良の形態】
【０００８】
本発明に係る鉄骨・鉄筋補強型乾式ブロック組積工法を実施するための最良の形態を実施例に基づいて図面を参照して以下に説明する。  
【実施例】
【０００９】
図１及び２は、それぞれ本発明の実施の形態に係る鉄骨・鉄筋補強型乾式ブロック組積工法により組積けられたブロック壁の正面図及び平面図を示したものであり、図３は図１のＡ−Ａ矢視断面図を示したものである。
【００１０】
図１及び図３において、ＧＬは地面を示しており、地面を掘削し、掘削された部分に基礎コンクリート１を打接する。その際、基礎コンクリート１の部分から垂直上方に向けて、鉄骨支柱２及びネジ付き垂直補強筋３を立設させ、基礎コンクリート１の部分においてこれらをコンクリートで埋設・固定する。鉄骨支柱２は、図１に示すようにブロック数枚を間に挟む間隔で配置されるものであり、また、ネジ付き垂直補強筋３は、ブロック１枚ごとにブロックのほぼ中央に配置される。ブロック壁の両側の端部は、図１に示すようにブロック６を配置した状態で終わりとしても良いが、鉄骨支柱２を両側の端部に配置して鉄骨支柱２で終わりとしても良い。
【００１１】
図４は、鉄骨支柱２及びネジ付き垂直補強筋３の上部を省略して基礎部分を示す斜視図であり、鉄骨支柱２のリブ板４が底部において直角方向に所定の長さ張り出した形状になっており、地盤に安定して埋設・固定されるようになっている。また、ネジ付き垂直補強筋３も、その底部において鉄骨支柱２のリブ板４の張り出し方向に直角に曲げられた部分を有している。鉄骨支柱２とネジ付き垂直補強筋３とは基礎コンクリート１内に埋設される部分において、複数本の水平補強筋２５により一体に連結・固定されているため、ブロック壁に水平荷重がかかっても、鉄骨支柱２、ネジ付き垂直補強筋３、水平補強筋２５及び基礎コンクリート１により、より強固に安定してブロック壁を支持することができる。
【００１２】
鉄骨支柱２は、例えば鉄等の金属材料からなり、その断面形状は、例えば、図６に示すようなリブ板４の両側にチャンネル状部材５を溶接した中空形状をしており、軽量で、かつ組積られたブロック壁の地震、風圧等による水平荷重に耐えられる断面係数を有している。ネジ付き垂直補強筋３は、鉄等の金属材料から形成され、断面円形をしており、基礎コンクリート１より上方部分の表面にはネジが穿設されている。このネジ付き垂直補強筋３は、１本の長い棒状部材で形成してもよいが、適宜繋ぎあわせて形成してもよい。
【００１３】
基礎コンクリート１の打設とともに鉄骨支柱２及びネジ付き垂直補強筋３が立設された後に、基礎コンクリート１の上方にはブロック６が順次組積られる。
図５は、図１のＢ−Ｂ矢視断面図、図６は、図１のＣ−Ｃ矢視断面図である。
ブロック６は、図６に示すように上下方向に貫通した孔７が形成された中空形状とすることにより軽量化が図られている。また、左右両側面は図６の左側のブロックのように一方が凸形状、他方が凹形状に、さらに、上下面も図５に示すように一方が凸形状、他方が凹形状に形成され、上下左右において噛合するようになっている。
ブロック６としては、公知のコンクリートブロック、軽量コンクリートブロックあるいはプラスチック製ブロック等が用いられる。  
【００１４】
図６に示すように、鉄骨支柱２の部分の一側に用いられるブロック６、例えば、図６の右側のブロック６は、その左側面が鉄骨支柱２に嵌合するよう凹形状に形成され、その右側面も他のブロックの凸形状に噛合するよう凹形状に形成される。また、ブロック６の中央部にはネジ付き垂直補強筋３が上下方向に貫通する竪孔８を有している。鉄骨支柱２とブロック６、及び、ネジ付き垂直補強筋３とブロック６、との間はできるだけ緊密であることが望ましいが、施工の容易さを考慮して適宜の隙間が設けられている。
【００１５】
図７は、施工中のブロック組積みの一部を示す斜視図である。
図５及び図７に示すように、ブロック６の一定段目ごとにネジ付き垂直補強筋３を通して水平タイビーム筋９が設置される。図５及び図７では、ブロック６の２段目ごとに水平タイビーム筋９が設置されている様子を示しているが、設置されるブロック壁の状況に応じてブロック６の１段目ごと、あるいは３段目ごとに設置するなど柔軟に設置されるものである。水平タイビーム筋９は、金属材料からなり、板状をしており、その幅はブロック６上面の凸部１０とほぼ同じ幅を有し、その長さは鉄骨支柱２間に設置されるも場合はその設置間隔とほぼ同じ長さに形成され、後述する２通りの手段でもってその両端が鉄骨支柱２に固定される。なお、図１の両端に設置される水平タイビーム筋９のように鉄骨支柱２の一側に設置される場合は、その長さも短いため、鉄骨支柱２の側においてのみ鉄骨支柱２に固定され、その他、ネジ付き垂直補強筋３により締め付け固定されるが端部は自由端となってもよい。
【００１６】
ブロック６上面の凸部１０に載置された水平タイビーム筋９には項７が設けられており、ネジ付き垂直補強筋３に通された後、ネジ付き垂直補強筋３に螺合する締め付け部材であるナット１１により下部方向に押し下げられ、組積られるブロック６を圧着する。このため、組積られた全てのブロック６同士のズレが修正され、その上下凹凸嵌合面でもって緊密に嵌合するとともに、基礎コンクリート１から立設するネジ付き垂直補強筋３によりブロックが基礎コンクリート１と一体的に堅固に構築されることになる。なお、ブロック６の下面には、水平タイビーム筋９及びナット１１を収容できる凹部が形成され、下段のブロック上面との嵌合に支障を来さないようになっている。
【００１７】
図７において、ネジ付き垂直補強筋３の一部には一定間隔をもってナット挿入用の表面切欠部１２が設けられている。この表面切欠部１２はネジ付き垂直補強筋３のネジが形成されている表面の対向する両側を切り欠き形成しているものであり、切り欠かれていない表面部分にはネジ部が残されている。この表面切欠部１２は、ネジ付き垂直補強筋３のネジ部に螺合するナット１１をネジ付き垂直補強筋３の長手方向の途中から入れ込み、水平タイビーム筋９を締め付けるものであるから、水平タイビーム筋９が設置される位置の上方近傍に形成される。一方、ネジ付き垂直補強筋３の表面切欠部１２から入れ込まれるナットにも表面切欠部１２の径より若干大きい開口部１３が形成されている。
【００１８】
図８及び図９は、それぞれ水平タイビーム筋９端部の固定手段を示すものである。
まず、図８に示すものでは、水平タイビーム筋９の端部を下方にコ字状に折り曲げ形成して係合部１４を水平タイビーム筋９の端部に形成しておき、他方、鉄骨支柱２には、両側のチャンネル部材５に水平タイビーム筋取付孔１５を開口し、水平タイビーム筋９の係合部１４が鉄骨支柱２のチャンネル部材５に入り込めるようになっている。また、水平タイビーム筋取付孔１５の下方には係合部１４が噛合できる大きさの楔１６が固着されている。水平タイビーム筋９の係合部１４を鉄骨支柱２のチャンネル部材５に入れ込んだ状態で、図に示すように水平タイビーム筋９の係合部１４を楔１６の斜面に沿って下方に押し下げ、係合部１４と楔１６とを歯合させることにより、水平タイビーム筋９は鉄骨支柱２に固定される。図７に示すものの場合、水平タイビーム筋９は鉄骨支柱２の中に若干入り込む関係から、鉄骨支柱２、２間に設置される場合は鉄骨支柱２、２間の内面間隔より少し長くなり、水平タイビーム筋９の設置の際には水平タイビーム筋９を山状に曲げて鉄骨支柱２の取付孔１５にその係合部１４を挿入する必要がある。  そのため、水平タイビーム筋９に設けられるネジ付き垂直補強筋３を通す孔１７は、両側方向に長い楕円形状に形成されている。   
【００１９】
図９は、図８に示すものとは異なる水平タイビーム筋９端部の固定手段を示すものであって、鉄骨支柱２には、両側のチャンネル部材５に水平タイビーム筋取付孔１５を開口するとともに、リブ板４に水平タイビーム筋固定棒１８を嵌合・固定する孔１９を設け、水平タイビーム筋固定棒１８を孔１９に嵌入した状態で溶接等で固着する。水平タイビーム筋固定棒１８の両側には右ネジ２０及び左ネジ２１が設けられている。
一方、水平タイビーム筋９の端部には、端部ネジ棒２２を溶接等で固定する。端部ネジ棒２２には、水平タイビーム筋固定棒１８の右ネジ２０と反対の左ネジ２３が設けられる。水平タイビーム筋固定棒１８と端部ネジ棒２２とを接続固定するため、ターンバックル２４が用いられる。ターンバックル２４を回転することにより、水平タイビーム筋固定棒１８と端部ネジ棒２２とは接近したり離れたりするものであるが、水平タイビーム筋９の設置の際には、水平タイビーム筋固定棒１８と端部ネジ棒２２とを接近するようにターンバックル２４を回転させて水平タイビーム筋９を引っ張るようにして水平タイビーム筋固定棒１８を介して鉄骨支柱２に固定するものである。
【００２０】
本発明の実施の形態に係る鉄骨・鉄筋補強型乾式ブロック組積工法の作業手順について説明すると以下のようである。
（１）ブロック壁の基礎となる部分に、鉄骨支柱２及びネジ付き垂直補強筋３を必要数立設し、型枠内にコンクリートを打設して基礎コンクリート１を形成し、鉄骨支柱２及びネジ付き垂直補強筋３を基礎コンクリート１で堅固に固定する。この際、必要に応じて鉄骨支柱２及びネジ付き垂直補強筋３の基礎部分を複数本の水平補強筋２５により連結固定する。
（２）基礎コンクリート１の上面にブロック６の１段目及び２段目を、ブロック６の竪孔８にネジ付き垂直補強筋３が貫通するようにして載置する。その際、ブロック６の上下面及び両側面の凹凸を嵌合させる。また、鉄骨支柱２と接する部分のブロック６においては、その凹部に鉄骨支柱２嵌合するようにして組積する。
（３）２段目のブロックが組積られたら、水平タイビーム筋９を２段目のブロックの上面に位置するようにしてその両端部を鉄骨支柱２に楔を介して、あるいは、ターンバックル２４を介して固定する。
（４）ネジ付き垂直補強筋３の表面切欠部１２からナット１１を入れ込み、ネジ付き垂直補強筋３のネジ部に螺合させ、ナット１１を工具等で締め付け方向に回転させて水平タイビーム筋９を下方に締め付ける。
（５）３段目及び４段目のブロックを、上記（２）の要領で組積する。
（６）水平タイビーム筋９を４段目のブロック上面に上記（３）（４）の要領で締め付け固定する。
（７）最上段のブロックを組積したら、その上面に水平タイビーム筋９を上記（３）（４）の要領で締め付け固定する。
【図面の簡単な説明】
【００２１】
【図１】本発明の実施の形態に係る鉄骨・鉄筋補強型乾式ブロック組積工法により組積けられたブロック壁の正面を示す正面図である。
【図２】本発明の実施の形態に係る鉄骨・鉄筋補強型乾式ブロック組積工法により組積けられたブロック壁の上面を示す平面図である。
【図３】図１のＡ−Ａ矢視断面図である。
【図４】鉄骨支柱及びネジ付き垂直補強筋の上部を省略した基礎部分を示す斜視図である。
【図５】図１のＢ−Ｂ矢視断面図である。
【図６】図１のＣ−Ｃ矢視断面図である。
【図７】施工中のブロック組積みの一部を示す斜視図である。
【図８】水平タイビーム筋の両端の固定手段の１例を示す説明図である。
【図９】水平タイビーム筋の両端の固定手段の他の例を示す説明図である。
【符号の説明】
【００２２】
１      基礎コンクリート
２      鉄骨支柱
３      ネジ付き垂直補強筋
４      鉄骨支柱のリブ板
５      鉄骨支柱のチャンネル状部材
６      ブロック
７      ブロックの孔
８      ブロックの竪孔
９      水平タイビーム筋
１０    ブロック上面の凸部
１１    ナット
１２    ネジ付き垂直補強筋の表面切欠部
１３    ナットの開口部
１４    水平タイビーム筋端部の係合部
１５    水平タイビーム筋取付孔
１６    楔
１７    ネジ付き垂直補強筋を通す水平タイビーム筋に設けられる孔
１８    水平タイビーム筋固定棒
１９    水平タイビーム筋固定棒を嵌合・固定する孔
２０    水平タイビーム筋固定棒の右ネジ
２１    水平タイビーム筋固定棒の左ネジ
２２    端部ネジ棒２２
２３    端部ネジ棒の左ネジ
２４    ターンバックル
２５    水平補強筋
【図１】
2007107282.tif 000003
【図２】
2007107282.tif 000004
【図３】
2007107282.tif 000005
【図４】
2007107282.tif 000006
【図５】
2007107282.tif 000007
【図６】
2007107282.tif 000008
【図７】
2007107282.tif 000009
【図８】
2007107282.tif 000010
【図９】
2007107282.tif 000011
【手続補正書】
【提出日】平成18年1月28日(2006.1.28)
【手続補正１】
【補正対象書類名】特許請求の範囲
【補正対象項目名】全文
【補正方法】変更
【補正の内容】
【特許請求の範囲】
【請求項１】
基礎部より垂直方向に鉄骨支柱を一定間隔の柱間をもって立設するとともに、該鉄骨支柱間に基礎部より垂直方向にネジ付き垂直補強筋を立設し、組積られるブロックの一定段目ごとにネジ付き垂直補強筋を通して水平タイビーム筋を設置し、水平タイビーム筋をネジ付き垂直補強筋に螺合する締め付け部材により下方に押し下げることにより、組積られるブロックを圧着するようにした鉄骨・鉄筋補強型乾式ブロック組積工法において、水平タイビーム筋端部の係合部を鉄骨支柱の水平タイビーム筋取付孔の下部に設けられた楔に噛合させることにより固定するようにしたことを特徴とする鉄骨・鉄筋補強型乾式ブロック組積工法。
【請求項２】
基礎部より垂直方向に鉄骨支柱を一定間隔の柱間をもって立設するとともに、該鉄骨支柱間に基礎部より垂直方向にネジ付き垂直補強筋を立設し、組積られるブロックの一定段目ごとにネジ付き垂直補強筋を通して水平タイビーム筋を設置し、水平タイビーム筋をネジ付き垂直補強筋に螺合する締め付け部材により下方に押し下げることにより、組積られるブロックを圧着するようにした鉄骨・鉄筋補強型乾式ブロック組積工法において、水平タイビーム筋の端部を鉄骨支柱に固着された水平タイビーム筋固定棒にターンバックルを介して取付けることにより固定するようにしたことを特徴とする鉄骨・鉄筋補強型乾式ブロック組積工法。
【請求項３】
ネジ付き垂直補強筋の一部に一定間隔をもってナット挿入用の表面切欠部を設け、ネジ付き垂直補強筋に螺合させるナットには挿入用開口部を設けることを特徴とする請求項１又は請求項２記載の鉄骨・鉄筋補強型乾式ブロック組積工法。